(57)【特許請求の範囲】
【請求項１】
記録媒体に設定されるデータ記録用の単一のクリップ内に時系列的に分離された複数の分離データを所定時間毎に継続的に記録する継続記録部と、
１の分離データの記録が停止された後、次の分離データを続けて記録する際に、前記１の分離データに関する管理情報の記録をキャンセルし、１の分離データの記録が停止された後、次の分離データを続けて記録しない場合は、前記１の分離データに関する管理情報の記録をキャンセルしない管理情報記録キャンセル部と、
を備えることを特徴とする、記録装置。
【請求項２】
前記管理情報記録キャンセル部は、前記１の分離データの記録が停止された後、前記次の分離データを記録の指示を受けるまでの時間が所定値よりも短い場合に前記管理情報の記録をキャンセルし、前記１の分離データの記録が停止された後、前記次の分離データを記録の指示を受けるまでの時間が所定値以上の場合は前記管理情報の記録をキャンセルしないことを特徴とする、請求項１に記載の記録装置。
【請求項３】
記録媒体に設定されるデータ記録用の単一のクリップ内に時系列的に分離された複数の分離データを所定時間毎に継続的に記録するステップと、
１の分離データの記録が停止された後、次の分離データを続けて記録する際に、前記１の分離データに関す管理情報の記録をキャンセルし、１の分離データの記録が停止された後、次の分離データを続けて記録しない場合は、前記１の分離データに関する管理情報の記録をキャンセルしないステップと、
を備えることを特徴とする、記録方法。
【請求項４】
前記管理情報の記録をキャンセルするステップにおいて、前記１の分離データの記録が停止された後、前記次の分離データを記録の指示を受けるまでの時間が所定値よりも短い場合に前記管理情報の記録をキャンセルし、前記１の分離データの記録が停止された後、前記次の分離データを記録の指示を受けるまでの時間が所定値以上の場合は前記管理情報の記録をキャンセルしないことを特徴とする、請求項３に記載の記録方法。
【請求項５】
記録媒体に設定されるデータ記録用の単一のクリップ内に時系列的に分離された複数の分離データを所定時間毎に継続的に記録する手段、
１の分離データの記録が停止された後、次の分離データを続けて記録する際に、前記１の分離データに関する管理情報の記録をキャンセルし、１の分離データの記録が停止された後、次の分離データを続けて記録しない場合は、前記１の分離データに関する管理情報の記録をキャンセルしない手段、
としてコンピュータを機能させるためのプログラム。
【発明の詳細な説明】
【技術分野】
【０００１】
本発明は、記録装置、記録方法及びプログラムに関する。
【背景技術】
【０００２】
従来、例えば下記の特許文献１に記載されているように、光ディスクなど記録媒体に対して、入力映像等のデータの記録をクリップ単位で行う装置が知られている。ここで、クリップとは撮像処理の回数の単位であり、１クリップは、記録再生装置の録画ボタン（ＲＥＣボタン）を操作してから停止ボタン（ＳＴＯＰボタン）を操作するまでの撮像処理、または録画ボタン（ＲＥＣボタン）を操作してから一時停止ボタン（ＰＡＵＳＥボタン）を操作するまでの撮像処理に対応する。
【０００３】
映像データを光ディスクに記録した際には、１クリップ毎に管理のためのデータが作成される。ディスク投入時には、光ディスクに記録されている全てのクリップに関する管理情報が読み込まれるため、光ディスクに記録されるクリップ数が過度に多くなると、管理情報の読み出しに多くの時間が費やされ、記録又は再生開始のためのスタンバイの時間が長くなってしまう。このため、記録可能なクリップ数には一定の制限が設けられており、光ディスクの場合は、３００クリップ以下のクリップ数のみが光ディスクに記録可能とされている。
【０００４】
【特許文献１】特開２００５−４８５０号公報
【発明の開示】
【発明が解決しようとする課題】
【０００５】
しかしながら、記録可能なクリップ数が制限されていると、例えば、録画〜一時停止〜録画〜一時停止、といった操作を短時間で繰り返し行うと、実質的な録画時間は少ない場合であっても、クリップ数が増えてしまい、記録可能なクリップの残量が減ってしまうという問題がある。
【０００６】
このため、一時停止ボタンの操作により継続的に録画が行われた場合は、新たなクリップを作成することなく、直前に撮影された映像と同じクリップの中で新たに記録を行うことが考えられる。このような手法によれば、一時停止ボタンの操作により録画が繰り返し行われた場合であっても、同一のクリップ中で複数の記録が行われるため、記録されたクリップの数を抑えることが可能である。
【０００７】
しかしながら、同一のクリップ内で複数のデータを記録する場合において、各データを記録する毎に末尾にフッター、ヘッダー等の管理情報を記録する必要がある。このとき、一時停止直後に再度録画を開始すると、前のデータのフッター、ヘッダー等の書き込みが終了していないため、録画再開直後のデータを記録することが困難となる。
【０００８】
そこで、本発明は、上記問題に鑑みてなされたものであり、本発明の目的とするところは、記録媒体に設定される単一のクリップ内に複数のデータを記録可能とした場合に、記録停止直後に記録を再開した場合であっても、記録再開直後のデータを確実に記録することが可能な、新規かつ改良された記録装置、記録方法及びプログラムを提供することにある。
【課題を解決するための手段】
【０００９】
上記課題を解決するために、本発明のある観点によれば、記録媒体に設定されるデータ記録用の単一のクリップ内に時系列的に分離された複数の分離データを継続的に記録する継続記録部と、１の分離データの記録が終了した後、次の分離データを続けて記録する際に、前記１の分離データに関する管理情報の記録をキャンセルする管理情報記録キャンセル部と、を備える記録装置が提供される。
【００１０】
上記構成によれば、記録媒体に設定されるデータ記録用の単一のクリップ内に時系列的に分離された複数の分離データが継続的に記録される記録装置において、１の分離データの記録が終了した後、次の分離データを続けて記録する際に、１の分離データに関する管理情報の記録がキャンセルされる。従って、入力映像が記録されない区間を大幅に短縮することが可能となり、次の分離データの記録開始時から入力データを確実に記録することが可能となる。
【００１１】
また、前記管理情報記録キャンセル部は、前記１の分離データの記録が終了した後、前記次の分離データを記録の指示を受けるまでの時間が所定値よりも短い場合に前記管理情報の記録をキャンセルするものであってもよい。かかる構成によれば、１の分離データの記録が終了した後、次の分離データを記録の指示を受けるまでの時間が短い場合であっても、次の分離データの記録開始時から入力データを確実に記録することが可能となる。
【００１２】
また、上記課題を解決するために、本発明の別の観点によれば、記録媒体に設定されるデータ記録用の単一のクリップ内に時系列的に分離された複数の分離データを継続的に記録するステップと、１の分離データの記録が終了した後、次の分離データを続けて記録する際に、前記１の分離データに関する管理情報の記録をキャンセルするステップと、を備える記録方法が提供される。
【００１３】
上記構成によれば、記録媒体に設定されるデータ記録用の単一のクリップ内に時系列的に分離された複数の分離データを継続的に記録する方法において、１の分離データの記録が終了した後、次の分離データを続けて記録する際に、１の分離データに関する管理情報の記録がキャンセルされる。従って、入力映像が記録されない区間を大幅に短縮することが可能となり、次の分離データの記録開始時から入力データを確実に記録することが可能となる。
【００１４】
また、前記管理情報の記録をキャンセルするステップにおいて、前記１の分離データの記録が終了した後、前記次の分離データを記録の指示を受けるまでの時間が所定値よりも短い場合に前記管理情報の記録をキャンセルするものであってもよい。かかる構成によれば、１の分離データの記録が終了した後、次の分離データを記録の指示を受けるまでの時間が短い場合であっても、次の分離データの記録開始時から入力データを確実に記録することが可能となる。
【００１５】
また、上記課題を解決するために、本発明の別の観点によれば、記録媒体に設定されるデータ記録用の単一のクリップ内に時系列的に分離された複数の分離データを継続的に記録する手段、１の分離データの記録が終了した後、次の分離データを続けて記録する際に、前記１の分離データに関する管理情報の記録をキャンセルする手段、としてコンピュータを機能させるためのプログラムが提供される。
【００１６】
上記構成によれば、記録媒体に設定されるデータ記録用の単一のクリップ内に時系列的に分離された複数の分離データを継続的に記録するプログラムにおいて、１の分離データの記録が終了した後、次の分離データを続けて記録する際に、１の分離データに関する管理情報の記録がキャンセルされる。従って、入力映像が記録されない区間を大幅に短縮することが可能となり、次の分離データの記録開始時から入力データを確実に記録することが可能となる。
【発明の効果】
【００１７】
本発明によれば、記録媒体に設定される単一のクリップ内に複数のデータを記録可能とした場合に、記録停止直後に記録を再開した場合であっても、記録再開直後のデータを確実に記録することが可能となる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
図１は、本発明の一実施形態に係る記録再生装置１００の構成例を示す模式図であって、光ディスクなどのメディア２００にデータを記録するレコーダの構成例を示している。図１に示すように、記録再生装置１００は、映像記録再生用メモリ１０２、映像記録再生ブロック１０４、プロキシ（ＰＲＯＸＹ）記録再生ＤＳＰ(Digital Signal Processor)１０６、制御タスク１０８、を有して構成されている。記録再生装置１００には、映像信号をデジタルデータに変換したものを保存するメディア（光ディスクなどの記録媒体）２００が挿入される。本実施形態では、メディア２００として光ディスクを例示する。
【００２０】
映像記録再生用メモリ１０２は、光ディスク２００から読み出したデータ、および光ディスク２００へ書き込みを行うデータ、を格納するメモリである。映像記録再生用メモリ１０２には、映像信号をデジタルデータに変換したデータが格納される。映像記録再生用メモリ１０２は、本線映像メモリエリア１０２ａ、ＰＲＯＸＹ映像メモリエリア１０２ｂを有している。本線映像メモリエリア１０２ａには、映像記録再生ブロック１０４から送られたデータが格納される。また、ＰＲＯＸＹ映像メモリエリア１０２ｂには、ＰＲＯＸＹ記録再生ＤＳＰ１０６から送られたデータが格納される。
【００２１】
本実施形態の記録再生装置１００においては、取り込んだ映像を、画質の劣化などが最小限となるように比較的低い圧縮率で圧縮した本線データの他に、本線データよりも高い圧縮率で圧縮したプロキシビデオデータ（低解像度の映像データ）が光ディスク２００に記録される。なお、取り込んだ音声についても、本線の音声データの他、必要に応じて、高圧縮率のプロキシオーディオデータ（音声データ）、メタデータが作成される。プロキシビデオデータやプロキシオーディオデータは、近年、一般的に行われている、いわゆるノンリニア編集を行うためのデータであり、編集、高速アクセス用の高圧縮、低解像度のオーディオ、ビデオ、メタデータである。プロキシビデオデータやプロキシオーディオデータ等は、例えばパーソナルコンピュータに取り込まれた後、編集の素材とされる。
【００２２】
映像記録再生ブロック１０４は、映像音声データ（以下、入力映像と称する）の入力を受ける。入力信号は、ビデオカメラ（不図示）によって取得された映像や音声の信号、任意の記録メディア（不図示）から再生された映像や音声の信号等である。映像記録再生ブロック１０４は、制御タスク１０８からの動作系制御を受けて、入力映像を所定のデジタルデータに変換（エンコード）して光ディスク２００に記録するとともに、光ディスク２００に記録されたデータを読み出して、映像信号として出力する。映像記録再生用メモリ１０２は、映像記録再生ブロック１０４からの指令を受けて、格納しているデータを光ディスク２００へ記録し、また、光ディスク２００から読み出したデータを格納する。
【００２３】
ＰＲＯＸＹ記録再生ＤＳＰ１０６は、制御タスク１０８からの動作系制御を受けて、ＥＮＣ動作時は映像記録再生ブロック１０４から受けた信号をＰＲＯＸＹ画に変換（エンコード）し、映像記録再生用メモリ１０２へ書き込みを行う。また、ＤＥＣ動作時は、ＰＲＯＸＹ画を映像出力データ（ＤＥＣ画）へ変換（デコード）し、モニタ等の表示装置３００へ出力する。
【００２４】
制御タスク１０８は、操作パネル４００から入力された記録指示に従って、映像記録再生ブロック１０４、ＰＲＯＸＹ記録再生ＤＳＰ１０６を制御する。操作パネル４００には、録画ボタン（ＲＥＣ）４０２、一時停止ボタン（ＰＡＵＳＥ）４０４、録画停止ボタン（ＳＴＯＰ）４０６が設けられている。
【００２５】
制御タスク１０８は、録画ボタン（ＲＥＣ）４０２が押された場合（録画時）は、ＰＲＯＸＹ記録再生ＤＳＰ１０６をＥＮＣ動作に切り換える。また、制御タスク１０８は、録画時は、映像記録再生ブロック１０４で入力信号を記録用フォーマットに変換し、映像記録再生用メモリ１０２へ変換した入力信号を蓄積し、光ディスク２００へ書き込むように制御を行う。また、制御タスク１０８は、光ディスク２００への書き込を行う際に書き込み制御を行い、光ディスク２００からの読み出しを行う際に読み出し制御を行う。
【００２６】
図２は、図１の構成において、データの流れを示す模式図である。図２において、破線で示す矢印は、本線画を記録する際のデータの流れを示している。また、一点鎖線で示す矢印は、ＰＲＯＸＹ画を記録する際のデータの流れを示している。
【００２７】
図２に示すように、本線画を記録する際には、入力映像が映像記録再生ブロック１０４から映像記録再生用メモリ１０２に送られて、光ディスク２００へ記録される。また、入力映像は、映像記録再生ブロック１０４からＰＲＯＸＹ記録再生ＤＳＰ１０６を介して表示装置３００へ出力される。
【００２８】
一方、ＰＲＯＸＹ画を記録する際には、ＥＮＣ動作が行われて、ＰＲＯＸＹ記録再生ＤＳＰ１０６から映像記録再生用メモリ１０２へ映像データ（ＥＮＣ画）が送られて、光ディスク２００に記録される。
【００２９】
なお、記録再生装置１００は、光ディスク２００に情報を記録するためのピックアップ部（不図示）を備えている。ピックアップ部は、記録時においては、レーザー光により光ディスク２００に記録信号を記録する。また、再生時においては、光ディスク２００にレーザー光を照射し、反射光を光電変換して電流信号を生成する。また、記録再生装置１００は、光ディスク２００に記録すべきデータを変調して記録信号を生成し、ピックアップ部へ供給する信号処理部を備えている。信号処理部はまた、ピックアップ部により読み出された信号を復調して再生データを生成する。
【００３０】
図３は、本実施形態の記録再生装置１１０において、光ディスク２００上に書き込まれたデータを示す模式図である。本実施形態に係る記録再生装置１００は、一時停止ボタン（ＲＥＣ  ＰＡＵＳＥ）４０４の操作により、１つのクリップ内で連続してデータを書き込むことが可能である。図３は、この操作により１つのクリップ内で連続して書き込まれたデータ(分離データ)を示している。
【００３１】
図３に示すように、先ず、録画ボタン４０２の１回目の押下げによりテイク１の記録が開始（ＲＥＣ  ＳＴＡＲＴ）され、その後、一時停止ボタン４０４ボタンを押下げると、テイク１の記録が終了する。次に一時停止ボタン４０４を再度押下げるか、または録画ボタン４０２を押下げると、テイク２の記録が開始される（ＲＥＣ  ＳＴＡＲＴ）。このようにして、１つのクリップ内にテイク１(Take 1)、テイク２(Take 2)・・・テイク４(Take 4)のデータを順次に記録することが可能である。このような、一時停止ボタン４０４ボタンを押し下げた後、一時停止ボタン４０４又は録画ボタン４０２を押下げることにより同一のクリップ内で新たに記録を行うことを、コンティニュアス録画（継続録画；Continuous REC）と称することとする。各テイクの境界位置には、境界位置を示すＲＥＣ  ＳＴＡＲＴエッセンシャルマーク（ＲＥＣ  ＳＴＡＲＴ  ＥＭ）が付与される。録画停止ボタン（ＳＴＯＰ）４０６を押した際には、クリップが終了し、次に録画ボタン４０２が押されると次のクリップの記録が開始される。
【００３２】
従って、図３に示すように、一時停止ボタン４０４の操作により連続して記録を行う場合は、１つのクリップの中で複数のテイクを記録することができる。これにより、複数の映像シーンを記録した場合であっても、録画したクリップ数が増加することがなく、クリップ数が上限値に達するまでの間に多くの映像を記録することが可能となる。
【００３３】
図３に示すデータは、光ディスク２００のファイル記録領域に記録される。また、光ディスク２００のファイルシステム記録領域には、管理情報（ファイルシステム）が記録される。管理情報は、ファイル記録領域のどこにどのようなファイルが記録されているかを示す情報であって、光ディスクからファイルが読み出されるときに参照される。
【００３４】
光ディスク２００に記録された映像音声データ等のファイルは、ファイルシステムにより管理されている。例えば、光ディスク２００を再生する場合、記録再生装置１００は、光ディスク２００に記録されたファイルシステムを参照して、光ディスク２００に記録された１個以上のファイル名、および各ファイルの光ディスク２００上の記録位置などを取得する。そして、ユーザにより所望のファイルの再生が指示されたとき、ファイルシステムに基づいて、指示されたファイルの記録位置を特定し、その記録位置からファイルを構成する映像音声データを読み出して再生を行う。ファイル記録領域に記録されたデータは、ファイルシステムによりファイルとして管理され、ディレクトリ構造等による論理的なデータとして管理される。
【００３５】
図４は、制御タスク１０８の機能構成を示すブロック図である。図４に示すように、制御タスク１０８は、コンティニュアス記録部（継続記録部）１０８ａ、管理情報記録キャンセル部１０８ｂ、データ複写部１０８ｃ、データ削除部１０８ｄ、を備えている。上述した一時停止ボタン４０４の操作によるコンティニュアス録画が行われた場合は、コンティニュアス記録部（継続記録部）１０８ａにより、単一のクリップ内にデータを継続して記録する制御が行われる。管理情報記録キャンセル部１０８ｂ、データ複写部１０８ｃ、データ削除部１０８ｄの機能については後述する。
【００３６】
図５は、本実施形態に係る記録再生装置１００の動作を示すタイミングチャート、及び光ディスク２００上に書き込まれたデータを示す模式図である。ここで、図５（Ａ）は、本実施形態に係る記録再生装置１００において、入力映像のデータが入力されるタイミング、映像記録再生用メモリ１０２にデータが格納されるタイミング、光ディスク２００にデータが書き込まれるタイミング、制御タスク１０８の動作のタイミングを並列的に示すタイミングチャートである。
【００３７】
図５（Ａ）に示すように、入力映像のデータが入力されるタイミングに対して、映像記録再生用メモリ１０２にデータが格納されるタイミングには所定の遅れ（タイムラグ）が生じる。同様に、映像記録再生用メモリ１０２にデータが格納されるタイミングに対して、光ディスク２００にデータが書き込まれるタイミングには所定の遅れ（タイムラグ）が生じる。
【００３８】
図５（Ａ）に示す記録開始時点１（ＲＥＣ）は、ユーザにより録画ボタン４０２が押されて記録動作が開始した時点であり、このタイミングで図３に示すテイク１の記録が開始するものとする。映像記録再生用メモリ１０２には、光ディスク２００へ書き込むデータとして年輪データと称するデータが格納される。ここで、１つの年輪データは、２秒毎の入力映像に対応している。年輪データは、オーディオデータ、ビデオデータ、プロキシデータ、及びメタデータを含むものであり、これらの複数のデータが２秒毎の年輪データの中に時系列に配置されている。そして、映像記録再生用メモリ１０２に格納された年輪データは、光ディスク２００に順次に書き込まれていく。
【００３９】
図５（Ａ）に示す記録停止時点は、ユーザにより一時停止ボタン４０４が押されてテイク１の記録が停止した時点である。図５の例では、記録停止時点は入力映像の入力５が入力されている途中である。このため、入力５に対応して記録される年輪５のデータは、２秒間のデータに満たないものとなる。従って、光ディスク２００に記録された年輪５のデータ量は、他の年輪１〜４のデータ量よりも少なくなる。
【００４０】
記録停止時点で一時停止ボタン４０４ボタンが押下げられると、制御タスク１０８の状態は、フィル（Ｆｉｌｌ）、フッター（Ｆｏｏｔｅｒ）、ヘッダー（Ｈｅａｄｅｒ）の作成状態（管理情報の作成状態）となり、映像記録再生用メモリ１０２にフィル、フッター、ヘッダーの各データが格納される。管理情報のうち、フィル（Ｆｉｌｌ）は、効率的にメモリ、メディア管理をするため、特定のサイズのダミーデータを即入し、サイズを丸めるためのデータである。また、ヘッダー（Ｈｅａｄｅｒ）は、該当するクリップを再生するのに必要な情報（記録フォーマット、サイズ、開始タイムコード等）を格納する領域である。また、フッター（Ｆｏｏｔｅｒ）は、クリップの終わりを示すデータである。格納されたフィル、フッター、ヘッダーの各データは、光ディスク２００に書き込まれる。フィル、フッター、ヘッダーの作成状態の後、制御タスク１０８の状態はメディア書込み待ち状態となり、映像記録再生用メモリ１０２が書き込み待ち状態となる。
【００４１】
記録開始時点２（ＲＥＣ）で録画ボタン４０２が再び押されてコンティニュアス録画が行われると、映像記録再生用メモリ１０２には、メディア書込み待ち状態の後に送られた入力映像（入力１２以降）が格納される。また、メディア書込み待ち時間の直後には、テイク１で２秒に満たなかった年輪５のデータが、再び映像記録再生用メモリ１０２に格納され、年輪５のデータに入力１２のデータの一部が追加される。これにより、年輪５のデータが２秒間のデータ（年輪５＋入力１２の一部）とされて映像記録再生用メモリ１０２に格納される。年輪５のデータの後には、２秒間の入力映像に対応した年輪６、年輪７のデータが順次に格納されていく。映像記録再生用メモリ１０２に格納されたデータは、一定の遅れを伴って光ディスク２００に書き込まれる。このように、テイク１の最後の年輪５のデータは、テイク２の冒頭に複写されて光ディスク２００に記録される。この処理は、図４のデータ複写部１０８ｃによって行われる。
【００４２】
また、図５（Ｂ）は、図５（Ａ）に示す（１）の位置を終点として光ディスク２００上に書かれているデータを示している。また、図５（Ｃ）は、図５（Ａ）の（２）の位置を終点としてディスク上に書かれているデータを示している。図５（Ｂ）に示すように、テイク１が終了すると、フィル、フッター、ヘッダーが書き込まれる。その後、図５（Ｃ）に示すように、テイク２の年輪５，６データが書き込まれると、テイク１の最後に書き込まれていた年輪５、フィル、フッター、ヘッダーの各データは論理的に削除される。データの削除は、図４のデータ削除部１０８ｄによって行われる。上述したように、テイク１の年輪５のデータはテイク２の最初に再度書き込まれ、また、テイク２の終了時には、テイク１の終了時と同様にフィル、フッター、ヘッダーの各データが書き込まれる。クリップが終了した場合は、最後のテイクで記録されたフィル、フッター、ヘッダーの各データがそのクリップの管理情報として残され、他のテイクのフィル、フッター、ヘッダーの各データは論理的に削除された状態となる。
【００４３】
図５に示すように、記録停止時点で一時停止ボタン４０４が押し下げられた直後に、記録開始時点２（ＲＥＣ）で録画ボタン４０２が押されてコンティニュアス録画が行われると、映像記録再生用メモリ１０２にフィル、フッター、ヘッダーの各データが格納されている間は、入力映像のデータを格納することができないため。このため、記録開始時点２（ＲＥＣ）の後に送られた入力６から入力１１までのデータは、光ディスク２００に記録することができず、記録開始時点２（ＲＥＣ）の直後からデータを記録することができない。
【００４４】
このため、本実施形態では、記録停止時点で一時停止ボタン４０４が押し下げられた直後にコンティニュアス録画が行われた場合は、フィル、フッター、ヘッダーの各データを光ディスク２００に記録しないように制御を行う。図６は、フィル、フッター、ヘッダーの各データを光ディスク２００に記録しない場合を示す模式図である。
【００４５】
図６（Ａ）において、記録停止時点までの動作は、図５（Ａ）と同様である。記録停止時点で一時停止ボタン４０４ボタンが押下げられると、制御タスク１０８の状態は、一旦、フィル、フッター、ヘッダーの作成状態となるが、記録開始時点２（ＲＥＣ）で録画ボタン４０２の押下げを受けて、フィル、フッター、ヘッダーの作成状態をキャンセルする。この処理は、図４の管理情報記録キャンセル部１０８ｂによって行われる。これにより、映像記録再生用メモリ１０２には、キャンセルまでの間にフィルのデータが格納されるが、その後はキャンセル待ち状態となる。
【００４６】
これにより、映像記録再生用メモリ１０２には、メディア書込み待ち状態の後に送られた入力映像（入力７以降）が格納される。また、メディア書込み待ち時間の直後には、テイク１で２秒に満たなかった年輪５のデータが、再び映像記録再生用メモリ１０２に格納され、年輪５のデータに入力７のデータの一部が追加される。これにより、年輪５のデータが２秒間のデータ（年輪５＋入力７の一部）とされて映像記録再生用メモリ１０２に格納される。年輪５のデータの後には、２秒間の入力映像に対応した年輪６〜１２のデータが順次に格納されていく。映像記録再生用メモリ１０２に格納されたデータは、一定の遅れを伴って光ディスク２００に書き込まれる。
【００４７】
また、図６（Ｂ）は、図６（Ａ）に示す（１）の位置を終点として光ディスク２００上に書かれているデータを示している。また、図６（Ｃ）は、図６（Ａ）の（２）の位置を終点としてディスク上に書かれているデータを示している。図６（Ｂ）に示すように、管理情報の記録をキャンセルした場合は、テイク１の終了時に年輪４までのデータが書き込まれている。図６（Ｃ）に示すように、管理情報の記録をキャンセルしているため、テイク２で書き込まれる年輪５〜１０のデータは、年輪４のデータに続けて書き込まれる。
【００４８】
図５と図６を比較すれば明らかなように、図６の処理では、フィル、フッター、ヘッダーなどの管理情報の作成状態がキャンセルされるため、映像記録再生用メモリ１０２にフィル、フッター、ヘッダーを格納する必要がなく、より早い段階で映像記録再生用メモリ１０２をメディア書き込み待ち状態とすることができる。従って、入力７のデータ以降を光ディスク２００に書き込むことが可能となり、入力映像が記録されない区間を大幅に短縮することが可能となる。従って、録画を一時停止した直後にコンティニュアス録画を開始した場合であっても、コンティニュアス録画の開始直後からの入力映像を記録することが可能となる。
【００４９】
なお、フィル、フッター、ヘッダーなどの識別情報の記録をキャンセルするか否かは、例えば、記録停止時点から記録開始時点２までの時間に応じて決定することができる。この場合、記録停止時点から記録開始時点２までの時間が所定値よりも短い場合は、識別情報の記録をキャンセルするようにする。記録停止時点から記録開始時点２までの時間が十分に長い場合は、入力映像が記録されない期間がより短くなるため、識別情報の記録のキャンセルは不要となる。
【００５０】
次に、図７のシーケンス図に基づいて、本実施形態に係る記録再生装置１００の処理手順について説明する。先ず、ステップＳ１では、録画ボタン４０２が押下げられて、制御タスク１０８に対して記録開始要求が行われる。次に、ステップＳ２、ステップＳ３では、映像記録再生ブロック１０４及びＰＲＯＸＹ記録再生ＤＳＰ１０６に対してエンコード（ＥＮＣ）の開始要求が出される。
【００５１】
次に、ステップＳ４では、１つの年輪に該当する分だけの入力映像のエンコードが完了したか否かを判定し、エンコードが完了した場合は、ステップＳ５で映像記録再生用メモリ１０２に対して光ディスク２００への書き込み要求を出す。一方、エンコードが完了していない場合は、ステップＳ６，Ｓ７で映像記録再生ブロック１０４及びＰＲＯＸＹ記録再生ＤＳＰ１０６に対してエンコード制御を行う。
【００５２】
次に、ステップＳ８では、一時停止ボタン４０４の押し下げによる記録停止要求が出されたか否かを判定し、記録停止要求が出された場合はステップＳ１０へ進む。一方、記録停止要求が出されていない場合は、ステップＳ４へ戻る。
【００５３】
次に、ステップＳ１０では、記録停止要求が出された後、コンティニュアス録画による記録開始要求が出されたか否かが判定される。記録開始要求が出された場合は、ステップＳ１１で光ディスク２００への書き込みをキャンセルし、ステップＳ１２でフィル、フッター、ヘッダーの作成をキャンセルする。そして、ステップＳ１２の後は、ステップＳ２へ戻る。
【００５４】
一方、ステップＳ１０で記録開始要求が出されていない場合は、フィルを作成し（ステップＳ１３，Ｓ１４）、フッターを作成する（ステップＳ１５，Ｓ１６）。その後、ヘッダーを作成して（ステップＳ１７，Ｓ１８）、ステップＳ１９で光ディスク２００への書き込みを行う。
【００５５】
以上説明したように本実施形態の記録再生装置１００では、１つのクリップ内に複数の入力映像を記録することが可能な記録再生装置１００において、コンティニュアス録画が行われた場合は、フィル、フッター、ヘッダー等の管理情報の記録をキャンセルする。これにより、コンティニュアス録画の開始時において、入力映像が記録されない区間を大幅に短縮することが可能となり、コンティニュアス録画の開始直後から入力映像を記録することが可能となる。従って、コンティニュアス録画の際にユーザの所望の映像を記録することが可能となる。
【００５６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００５７】
【図１】本発明の一実施形態に係る記録再生装置の構成例を示す模式図である。
【図２】図１の構成において、データの流れを示す模式図である。
【図３】本実施形態の記録再生装置において、コンティニュアス録画により光ディスク上に書き込まれたデータを示す模式図である。
【図４】制御タスクの機能構成を示すブロック図である。
【図５】入力映像のデータが入力されるタイミング、映像記録再生用メモリにデータが格納されるタイミング、光ディスクにデータが書き込まれるタイミング、制御タスクの動作のタイミングを並列的に示すタイミングチャートである。
【図６】管理情報を光ディスクに記録しない場合の動作を示すタイミングチャートである。
【図７】記録再生装置の処理手順を示すシーケンス図である。
【符号の説明】
【００５８】
１００    記録再生装置
１０８    制御タスク
１０８ａ    継続記録部
１０８ｂ    管理情報記録キャンセル部
１０８ｃ    データ複写部
１０８ｄ    データ削除部
【図１】
0004957498.tif 000002
【図２】
0004957498.tif 000003
【図３】
0004957498.tif 000004
【図４】
0004957498.tif 000005
【図５】
0004957498.tif 000006
【図６】
0004957498.tif 000007
【図７】
0004957498.tif 000008